(57)【特許請求の範囲】
【請求項１】
電動モータによって駆動される作業工具を備え、作業者がグリップを把持して前記作業工具によって作業をする作業機であって、
前記グリップには、前記電動モータを操作する操作ボタンが配設されている操作用基板及び操作面を備えた操作パネルと、前記操作ボタンによる前記電動モータの操作状態を表示する表示ランプが配設されている表示用基板及び表示面を備えた表示パネルとを設け、
前記表示ランプの発光状態は、前記作業機の電源が入っている状態において、前記操作ボタンを操作することによって変化し、
前記操作パネルと前記表示パネルとを互いに近接する位置にて分離して配置し、
前記操作面と前記表示面が対向しないように配置し、
前記操作面に対して前記表示面を傾斜して配置し、
前記作業機の通常の使用状態にて作業者が前記グリップを把持したときに、前記表示パネルの表示面を作業者の顔を向く方向に配置したことを特徴とする作業機。
【請求項２】
請求項１に記載の作業機であって、
前後方向に延びる支持棹の前端部に前記電動モータによって駆動される前記作業工具としての回転刃を備え、駆動される前記回転刃を作業者が前記支持棹に設けた前記グリップを把持して操作することで草の刈払い作業をする刈払機である作業機。
【請求項３】
請求項２に記載の作業機において、
前記支持棹の前後方向の中間部にはＵ字形のハンドルを設け、
前記ハンドルの一端部に前記グリップを設けるようにした作業機。
【請求項４】
請求項３に記載の作業機において、
前記グリップは前記ハンドルの端部にて筒形形状をしたものであり、
前記操作パネルを前記グリップの軸線方向に平行に設け、前記表示パネルの表示面を前記操作パネルに対して前方に傾斜させることによって、前記表示パネルの表示面が作業者の顔を向く方向に配置されるようにしたことを特徴とする作業機。
【請求項５】
請求項２に記載の作業機において、
前記支持棹の前後方向の中間部または後部の外周を覆うように前記グリップを設けるようにした作業機。
【請求項６】
請求項５に記載の作業機において、
前記グリップは前記支持棹の外周を覆う筒形形状をしたものであり、
前記操作パネルを前記グリップの軸線方向に平行に設け、前記表示パネルの表示面を前記操作パネルに対して上方に傾斜させることによって、前記表示パネルの表示面が作業者の顔を向く方向に配置されるようにしたことを特徴とする作業機。
【発明の詳細な説明】
【技術分野】
【０００１】
本発明は、電動モータによって駆動される作業工具を備え、この駆動される作業工具を作業者がグリップを把持して操作することで作業をするようにした作業機に関する。
【背景技術】
【０００２】
特許文献１には、電動モータによって駆動される回転刃を備えた刈払機が開示されている。この刈払機は前後方向に延びる支持棹の前端部に電動モータにより駆動される回転刃を備え、回転刃を地面に沿って左右方向に往復動させることによって草等を刈払う作業に用いられる。支持棹の前後方向の中間部には環状のループハンドルと、後部には外周を覆うグリップとが設けられ、作業者は例えば左手でループハンドルを把持するともに右手でグリップを把持して、回転刃を地面に沿って左右方向に往復動させるように操作する。
【０００３】
支持棹の後部に設けたグリップの前後方向の中間部には、下部に電動モータを駆動するように操作するトリガスイッチと、上部にトリガスイッチの操作を許可するトリガロックレバーとが設けられている。作業者はグリップを握ることによってトリガロックレバーを押してトリガスイッチを操作可能な状態に解除し、握った手の人差し指でトリガスイッチを引くことで電動モータを駆動させるように操作する。
【０００４】
また、グリップの上面前部には、電動モータを操作する複数の操作ボタンと、操作ボタンによる電動モータの操作状態を表示する複数の表示ランプとを１つの基板に配設した複合パネルが設けられている。操作ボタンは、電動モータをバッテリ等の電源から給電可能な状態に操作する電源ボタンと、電動モータを低速回転モードまたは高速回転モードとに切替操作する回転速度切替ボタンと、電動モータを正回転モードと逆回転モードとに切替操作する回転方向切替ボタンを有している。また、表示ランプは、電源スイッチがオンされた状態を表示する電源ランプと、電動モータが低速回転モードまたは高速回転モードであることを表示する回転速度ランプと、電動モータが正回転モードまたは逆回転モードであることを表示する回転方向ランプとを有している。
【先行技術文献】
【特許文献】
【０００５】
【特許文献１】国際公開番号ＷＯ２０１３／０３２３７４号公報
【発明の概要】
【発明が解決しようとする課題】
【０００６】
上記の刈払機においては、グリップの上面前部には電動モータを操作する複数の操作ボタンと、操作ボタンによる電動モータの操作状態を表示する複数の表示ランプとを有した複合パネルが設けられている。この刈払機において、複合パネルの操作ボタンを頻繁に押動操作すると、操作ボタンが表示ランプより先に破損することがあった。この場合には、表示ランプが破損してないにも関わらず、操作ボタンと表示ランプとを一体的に設けた複合パネルを交換することとなり、修理に要するコストが高くなる問題があった。また、作業者が刈払機を通常の使用状態でループハンドルとグリップとを把持したときに、複合パネルが作業者の顔を向く方向に配置されてないため、作業者は表示ランプが点灯しているか否かがわかりにくい問題があった。本発明は、刈払機等の作業機において、電動モータを操作する操作ボタンと、操作ボタンによる操作状態を表示する表示ランプとを別々に交換修理できるようにして、操作ボタンと表示ランプとの各々を交換修理する際に要する費用を低く抑えることができるようにすることと、表示ランプの視認性を良好とすることを目的とする。
【課題を解決するための手段】
【０００７】
上記課題を解決するために、本発明は、電動モータによって駆動される作業工具を備え、作業者がグリップを把持して作業工具によって作業をする作業機であって、グリップには、電動モータを操作する操作ボタンを配置した操作面の後側に操作用基板を備えた操作パネルと、操作ボタンによる電動モータの操作状態を表示する表示ランプを配置した表示面の後側に表示用基板を備えた表示パネルとを設け、操作パネルと表示パネルとを互いに近接する位置にて分離して配置し、操作面に対して表示面を傾斜して配置することで、作業機の通常の使用状態にて作業者がグリップを把持したときに、表示パネルの表示面を作業者の顔を向く方向に配置したことを特徴とする作業機を提供するものである。
【０００８】
上記のように構成した作業機においては、グリップには、電動モータを操作する操作ボタンを配置した操作面の後側に操作用基板を備えた操作パネルと、操作ボタンによる電動モータの操作状態を表示する表示ランプを配置した表示面の後側に表示用基板を備えた表示パネルとを設け、操作パネルと表示パネルとを互いに近接する位置にて分離して配置し、操作面に対して表示面を傾斜して配置することで、作業機の通常の使用状態にて作業者がグリップを把持したときに、表示パネルの表示面を作業者の顔を向く方向に配置したので、操作ボタンと表示ランプとの一方だけが破損しても、操作パネルと表示パネルとの一方だけを交換修理することができ、操作パネルと表示パネルとの各々を交換修理する際に要する費用を低く抑えることができるようになった。また、作業者は作業機を通常の使用状態で操作面の操作ボタンを操作しながら表示面の表示ランプを視認できるようになり、作業機を使用したときの作業性を良好とすることができた。
【００１０】
上記のように構成した作業機は、前後方向に延びる支持棹の前端部に電動モータによって駆動される作業工具としての回転刃を備え、駆動される回転刃を作業者が支持棹に設けたグリップを把持して操作することで草の刈払い作業をする刈払機に適用することが可能である。
【００１１】
上記のように構成した作業機を刈払機に適用したときの一実施形態には、支持棹の前後方向の中間部にはＵ字形のハンドルを設け、ハンドルの一端部にグリップを設けるようにする。この場合には、グリップはハンドルの端部にて筒形形状とし、操作パネルをグリップの軸線方向に平行に設け、表示パネルの表示面を操作パネルに対して前方に傾斜させることによって、表示パネルの表示面が作業者の顔を向く方向に配置されるようにするのが好ましい。
【００１２】
また、上記のように構成した作業機を刈払機に適用したときの他の実施形態には、支持棹の前後方向の中間部または後部の外周を覆うようにグリップを設けるようにしてもよい。この場合には、グリップは支持棹の外周を覆う筒形形状とし、操作パネルをグリップの軸線方向に平行に設け、表示パネルの表示面を操作パネルに対して上方に傾斜させることによって、表示パネルの表示面が作業者の顔を向くよう方向に配置されるようにするのが好ましい。
【図面の簡単な説明】
【００１３】
【図１】本発明の作業機の一実施形態である刈払機を示す斜視図である。
【図２】図１の右側のグリップを拡大した斜視図である。
【図３】他の実施形態の刈払機を示す後端ハウジングを省略した斜視図である。
【図４】図３のハンドルとグリップを拡大した斜視図である。
【図５】本発明の作業機の一実施形態であるチェーンソーを示す斜視図である。
【図６】本発明の作業機の一実施形態であるヘッジトリマを示す斜視図である。
【発明を実施するための最良の形態】
【００１４】
以下、本発明の作業機の一実施形態である刈払機を図面を参照して説明する。刈払機１０は、電動モータ２２によって駆動される作業工具として回転刃２３を備え、作業者がグリップ４１を把持して回転刃２３によって作業をする作業機である。
【００１５】
図１に示したように、刈払機１０は、前後方向に延びる細長い円筒形をした支持棹１１と、支持棹１１の前端部にカッタユニット２０と、支持棹１１の後端部にコントローラユニット３０とを備えている。
【００１６】
カッタユニット２０は支持棹１１の前端部に固定された前端ハウジング２１を備えており、前端ハウジング２１には電動モータ２２が収容されている。前端ハウジング２１には電動モータ２２の駆動を受けて回転する駆動軸（図示省略）が下側に突出して設けられており、駆動軸には回転刃２３が着脱可能に取り付けられている。
【００１７】
コントローラユニット３０は、支持棹１１の後端部に固定された後端ハウジング３１を備えており、後端ハウジング３１には電動モータ２２の駆動を制御する制御回路（図示省略）が収容されいている。後端ハウジング３１の後部には電動モータ２２に給電する２つのバッテリパック３２が着脱可能に取り付けられており、これらのバッテリパック３２は電動モータ２２に電気的に接続されている。
【００１８】
図１に示したように、支持棹１１の前後方向の中間部にはＵ字形のハンドル４０が設けられており、ハンドル４０の両端部には作業者が把持する筒形をしたグリップ４１（４１Ｒ、４１Ｌ）が設けられている。図１及び図２に示したように、ハンドル４０の右側のグリップ４１Ｒには長手方向の中間部にトリガスイッチ４２とトリガロックレバー４３が設けられている。トリガスイッチ４２は電動モータ２２を駆動させるスイッチであり、グリップ４１Ｒの前面側に設けられている。トリガスイッチ４２をグリップ４１Ｒ側に引くと、電動モータ２２はバッテリパック３２の給電を受けて駆動する。トリガロックレバー４３はトリガスイッチ４２がグリップ４１Ｒ側に引かれるのを規制した状態から解除するためのものであり、グリップ４１Ｒの後面側に設けられている。トリガロックレバー４３をグリップ４１Ｒ側に押すと、トリガスイッチ４２はグリップ４１Ｒ側に引かれるのを規制された状態から解除される。
【００１９】
図２に示したように、ハンドル４０の右側のグリップ４１Ｒには上部に操作パネル４４と表示パネル４５が設けられている。操作パネル４４の操作面はグリップ４１Ｒの上部にてグリップ４１Ｒの軸線方向と平行に設けられており、作業者が把持した手の親指で操作しやすい位置となっている。操作パネル４４はグリップ４１Ｒの上部の内部に操作用基板４４ａを備え、操作用基板４４ａには電動モータ２２を操作する操作ボタン４４ｂ，４４ｃが左右に配設されている。左側の操作ボタン４４ｂは電動モータ２２をバッテリパック３２から給電可能な状態に操作する機能を有した電源ボタンである。左側の操作ボタン４４ｂを押すと、電動モータ２２がバッテリパック３２から給電可能な状態（電源が入った状態）となり、操作ボタン４４ｂをもう一度押すと、電動モータ２２がバッテリパック３２から給電できない状態（電源が切られた状態）となる。また、左側の操作ボタン４４ｂは電動モータ２２を高速回転モード、中速回転モード及び低速回転モードの３つの回転速度に切り替える切替ボタンの機能を有している。操作ボタン４４ｂを２秒以上連続して押動すると、電動モータ２２の回転速度を高速回転モードから中速回転モードに、中速回転モードから低速回転モードに、低速回転モードから高速回転モードに切り替えることができる。
【００２０】
右側の操作ボタン４４ｃは電動モータ２２の回転方向を切り替える機能を有している。草を刈払う作業をするときの通常の使用時には、電動モータ２２によって回転する回転刃２３は反時計回り（正回転）に回転する。回転刃２３に草等が絡みついたときには、操作ボタン４４ｃを押動することによって、電動モータ２２によって回転する回転刃２３は時計回り（逆回転）に回転するようになり、回転刃２３に絡みついた草を取り除くことができる。
【００２１】
表示パネル４５はグリップ４１の上部の内部に表示用基板４５ａを備え、表示用基板４５ａには表示ランプ４５ｂ，４５ｃが左右に配設されている。この表示パネル４５は操作パネル４４の上側にて近接する位置に設けられており、表示パネル４５は操作パネル４４と分離して配置されている。表示パネル４５の表示面は操作パネル４４の操作面に対して前方に１５°傾斜しており、図１に示したように、刈払機１０を通常の使用状態にて作業者がグリップ４１を把持したときに、表示パネル４５の表示面は作業者の顔を向く方向となっている。なお、表示パネル４５の表示面を操作パネル４４の操作面に対して前方に１５°傾斜させたが、本発明はこれに限られるものでなく、表示パネル４５の表示面を操作パネル４４の操作面に対して前方に１０〜３０°の範囲で傾斜させたときに、表示パネル４５の表示面が作業者の顔を向く方向となり、表示パネルの視認性が良好となる。また、表示パネル４５の表示ランプ４５ｂ，４５ｃを配設した表示用基板４５ａは操作パネル４４の操作用基板４４ａと一体的でなく別の基板を用いたものである。
【００２２】
表示ランプ４５ｂ，４５ｃは操作ボタン４４ｂ，４４ｃによる電動モータ２２の操作状態を表示するものである。表示ランプ４５ｂ，４５ｃは発光体にＬＥＤ素子を用いたものである。左側の表示ランプ４５ｂは３つの発光体を上下に配置したものであり、上述した操作ボタン４４ｂを２秒以上連続して押動したときに切り替える回転速度モードを表示するものである。表示ランプ４５ｂの３つの発光体が点灯したときには、電動モータ２２の回転速度が高速回転モードであることを表示し、表示ランプ４５ｂの中段と下段の２つの発光体が点灯したときには、電動モータ２２の回転速度が中速回転モードであることを表示し、表示ランプ４５ｂの下段の発光体だけが点灯したときには、電動モータ２２の回転速度が低速回転モードであることを表示する。
【００２３】
右側の表示ランプ４５ｃは、電動モータ２２がバッテリパック３２から給電可能な状態（電源が入った状態）であることを表示するものである。左側の操作ボタン４４ｂを押動操作すると、右側の表示ランプ４５ｃが点灯し、電動モータ２２がバッテリパック３２から給電可能な状態（電源が入った状態）であることを表示する。また、右側の表示ランプ４５ｃは、電動モータ２２によって回転する回転刃２３が時計回り（逆回転）に回転することを表示する機能も有している。右側の操作ボタン４４ｃを押動操作すると、右側の表示ランプ４５ｃが点滅し、電動モータ２２によって回転する回転刃２３が時計回り（逆回転）に回転することを表示する。
【００２４】
上記のように構成した刈払機１０を用いて作業をするときには、図１に示したように、支持棹１１の前端の回転刃２３が作業者の前側の地面付近に位置するように、作業者が左手でハンドル４０のグリップ４１Ｌを把持し、右手でグリップ４１Ｒを把持する。この状態が刈払機１０の通常の使用状態となる。右手の親指で操作パネル４４の左側の操作ボタン４４ｂを押すと、電動モータ２２がバッテリパック３２から給電可能な状態（電源が入った状態）となる。右手の親指の付け根部分でトリガロックレバー４３を押して、トリガスイッチ４２がグリップ４１Ｒ側に引かれるのを規制された状態を解除し、右手の人差し指でトリガスイッチ４２をグリップ４１側に引くと、電動モータ２２がバッテリパック３２からの給電によって駆動し、回転刃２３が電動モータ２２の駆動によって回転する。作業者は回転刃２３を地面から少し浮く位置にて支持棹１１を左右に揺動させると、地面に生える草は回転する回転刃２３によって刈り払われる。
【００２５】
また、操作パネル４４の左側の操作ボタン４４ｂを押して電源が入った状態としたときには、電動モータ２２の回転速度は高速回転モードとなっており、表示パネル４５の左側の表示ランプ４５ｂは３つの発光体の全てが点灯した状態となっている。電動モータ２２の回転速度を中速回転モードとするときには、操作ボタン４４ｂを２秒以上連続して押動して、電動モータ２２の回転速度を中速回転モードに切り替える。電動モータ２２の回転速度を中速回転モードに切り替えると、表示パネル４５の左側の表示ランプ４５ｂは中段と下段の２つの発光体が点灯した状態となる。電動モータ２２の回転速度を低速回転モードとするときには、操作ボタン４４ｂを２秒以上連続して押動して、電動モータ２２の回転速度を低速回転モードに切り替える。電動モータ２２の回転速度を低速回転モードに切り替えると、表示パネル４５の左側の表示ランプ４５ｂは下段の発光体が点灯した状態となる。
【００２６】
また、刈払機１０によって草の刈払い作業をおこなうと、回転刃２３に草等が絡みつくことがある。このようなときには、右側の操作ボタン４４ｃを押動すると、電動モータ２２によって回転する回転刃２３が反時計回り（正回転）から時計回り（逆回転）に回転するようになり、表示パネル４５の右側の表示ランプ４５ｃは点滅した状態となる。この状態で、右手の親指の付け根部分でトリガロックレバー４３を押して、トリガスイッチ４２がグリップ４１Ｒ側に引かれるのを規制された状態を解除し、右手の人差し指でトリガスイッチ４２をグリップ４１側に引くと、回転刃２３が電動モータ２２の駆動によって時計回り（逆回転）に回転し、回転刃２３に絡みついた草等が離脱する。
【００２７】
上記のように構成した刈払機１０においては、ハンドル４０の右側のグリップ４１Ｒには、電動モータ２２を操作する操作ボタン４４ｂ，４４ｃを操作用基板４４ａに配設した操作パネル４４と、操作ボタン４４ｂ，４４ｃによる電動モータ２２の操作状態を表示する表示ランプ４５ｂ，４５ｃを表示用基板４５ａに配設した表示パネル４５とが設けられている。この刈払機１０においては、操作パネル４４と表示パネル４５とを互いに近接する位置にて分離して配置している。これにより、操作ボタン４４ｂ，４４ｃと表示ランプ４５ｂ，４５ｃとの一方だけが破損しても、操作パネル４４と表示パネル４５との一方だけを交換修理することができ、操作パネル４４と表示パネル４５との各々を交換修理する際に要する費用を低く抑えることができるようになった。
【００２８】
また、この刈払機１０においては、刈払機１０の通常の使用状態にて作業者がグリップ４１を把持したときに、表示パネル４５の表示面は作業者の顔を向く方向に配置されている。具体的には、右側のグリップ４１Ｒはハンドル４０の端部にて筒形形状をしており、作業者の把持する手の親指で操作しやすいように、操作パネル４４の操作面をグリップ４１Ｒの上部にてグリップ４１Ｒの軸線方向と平行に設け、作業者の視認性を良くするために、表示パネル４５の表示面を操作パネル４４の操作面に対して前方に１５°傾斜させている。このように、表示パネル４５の表示面を操作パネル４４の操作面に対して前方に傾斜させることにより、刈払機１０の通常の使用状態にて作業者がグリップ４１を把持したときに、表示パネル４５の表示面は作業者の顔を向くように配置されている。これにより、作業者は刈払機１０を通常の使用状態で使用しながら表示パネル４５の表示ランプ４５ｂ，４５ｃを視認できるようになり、刈払機１０を使用したときに表示パネル４５を見るために頭を動かす必要がなく、刈払機１０の作業性を良好とすることができた。
【００２９】
上記の実施形態の刈払機１０は、支持棹１１の前後方向の中間部にはＵ字形のハンドル４０を設け、ハンドル４０の両端部に作業者が把持する筒形をしたグリップ４１（４１Ｒ、４１Ｌ）を設けたものである。図３に示したように、他の実施形態の刈払機１０Ａは、Ｕ字形のハンドル４０に代えて、支持棹１１の中間部にループハンドル４０Ａと、支持棹１１の後部に支持棹１１の外周を覆う筒形形状をしたグリップ４１Ａとを備えたものである。ループハンドル４０Ａとグリップ４１Ａ以外については、上述した刈払機１０の構成と同様であり、以下にループハンドル４０Ａとグリップ４１Ａについて詳述する。
【００３０】
図４に示したように、ループハンドル４０Ａは楕円の下部を上側に凹ませた形状をしている。また、支持棹１１の後部に設けたグリップ４１Ａには、前後方向の中間部の上部にトリガロックレバー４３と、下部にトリガスイッチ４２とが設けられている。グリップ４１Ａの前部の上部には操作パネル４４Ａと表示パネル４５Ａが設けられている。操作パネル４４Ａの操作面はグリップ４１Ａの軸線方向と平行に設けられている。上述した実施形態の操作パネル４４と同様に、操作パネル４４Ａはグリップ４１Ａの前部の内部に操作用基板４４ａを備え、操作用基板４４ａには電動モータ２２を操作する操作ボタン４４ｂ，４４ｃが左右に配設されている。
【００３１】
表示パネル４５Ａは、操作パネル４４Ａの前側にて近接する位置に設けられており、表示パネル４５Ａは操作パネル４４Ａと分離して配置されている。表示パネル４５Ａの操作面は操作パネル４４Ａの操作面に対して上方に１５°傾斜しており、刈払機１０Ａを通常の使用状態にて作業者がループハンドル４０Ａとグリップ４１とを把持したときに、表示パネル４５Ａの表示面は作業者の顔を向く方向となっている。上述した実施形態の表示パネル４５と同様に、表示パネル４５Ａはグリップ４１Ａの前部の内部に操作用基板４４ａを備え、操作用基板４４ａには電動モータ２２を操作する操作ボタン４４ｂ，４４ｃが左右に配設されている
この刈払機１０Ａにおいても、操作パネル４４Ａと表示パネル４５Ａとを互いに近接する位置にて分離して配置している。これにより、操作ボタン４４ｂ，４４ｃと表示ランプ４５ｂ，４５ｃとの一方だけが破損しても、操作パネル４４Ａと表示パネル４５Ａとの一方だけを交換修理することができ、操作パネル４４Ａと表示パネル４５Ａとの各々を交換修理する際に要する費用を低く抑えることができるようになった。
【００３２】
また、刈払機１０Ａの通常の使用状態にて作業者がループハンドル４０Ａとグリップ４１Ａを把持したときに、表示パネル４５Ａの表示面は作業者の顔を向く方向に配置されている。具体的には、グリップ４１Ａは支持棹１１の後部にて支持棹１１の外周を覆う筒形形状をしており、作業者の把持する手の親指で操作しやすいように、操作パネル４４Ａの操作面をグリップ４１Ａの前部の上部にてグリップ４１Ａの軸線方向と平行に設け、作業者の視認性を良くするために、表示パネル４５Ａの表示面を操作パネル４４Ａの操作面に対して上方に１５°傾斜させている。このように、表示パネル４５Ａの表示面を操作パネル４４Ａの操作面に対して上方に傾斜させることにより、刈払機１０Ａの通常の使用状態にて作業者がグリップ４１Ａを把持したときに、表示パネル４５Ａの表示面が作業者の顔を向くように配置されるようにした。これにより、作業者は刈払機１０Ａを通常の使用状態で使用しながら表示パネル４５Ａの表示ランプ４５ｂ，４５ｃを視認できるようになり、刈払機１０Ａを使用したときに表示パネル４５Ａを見るために頭を動かす必要がなく、刈払機１０Ａの作業性を良好とすることができた。なお、表示パネル４５Ａの表示面を操作パネル４４の操作面に対して上方に１５°傾斜させたが、本発明はこれに限られるものでなく、表示パネル４５Ａの表示面を操作パネル４４Ａの操作面に対して上方に１０〜３０°の範囲で傾斜させたときに、表示パネル４５Ａの表示面が作業者の顔を向く方向となり、表示パネル４５Ａの視認性が良好となる。また、この実施形態の刈払機１０Ａでは、グリップ４１Ａを支持棹１１の後部に設けたが、これに限られるものでなく、グリップ４１Ａを支持棹１１の前後方向の中間部に設けたものであってもよく、このようにしたときにも上述したのと同様の作用効果を得ることができる。
【００３３】
上記の各実施形態の刈払機１０，１０Ａは支持棹１１の前端部に設けた前端ハウジング２１の内部に電動モータ２２を収容したものであるが、本発明はこれに限られるものでなく、電動モータ２２を支持棹１１の後端部に設けた後端ハウジング３１の内部に収容し、電動モータ２２の駆動を支持棹１１の内部に設けた回転軸によって前端ハウジング２１に設けた駆動軸に伝達して回転刃２３を回転させるようにしたものであってもよい。
【００３４】
上記の実施形態では作業機の一実施形態として刈払機の説明をしたが、本発明はこれに限られるものでなく、作業機の他の実施形態として、チェーンソー１０Ｂ、ヘッジトリマ１０Ｃ、芝刈機等の作業機にも適用できるものである。
【００３５】
チェーンソー１０Ｂは、ハウジング１１Ｂ内の電動モータ２２によって駆動される作業工具としてソーチェーン２３Ｂを備え、作業者がハウジング１１Ｂの後部に設けたリアハンドル４０Ｂのグリップ４１Ｂを把持してガイドバー２１Ｂの外周を回転するソーチェーン２３Ｂによって作業をする作業機である。グリップ４１Ｂの前部の上部には操作パネル４４Ｂ及び表示パネル４５Ｂが設けられており、操作パネル４４Ｂと表示パネル４５Ｂとを互いに近接する位置にて分離して配置するとともに、表示パネル４５Ｂの表示面を操作パネル４４Ｂの操作面に対して上方に１５°傾斜させている。これら操作パネル４４Ｂ及び表示パネル４５Ｂの構造及び作用効果については上述した刈払機と実質的に同様であるため詳細な説明は省略する。
【００３６】
また、ヘッジトリマ１０Ｃは、ハウジング１１Ｃ内の電動モータ２２によって駆動される作業工具として一対のシャーブレード２３Ｃを備え、作業者がハウジング１１Ｃの後部に設けたハンドル４０Ｃのグリップ４１Ｃを把持してシャーブレード２３Ｃによって作業をする作業機である。また、シャーブレード２３Ｃは生垣の刈り取り用の刃であるが、芝生の刈り取り用の刃を用いれば芝刈機として用いることができる。グリップ４１Ｃの前部の上部には操作パネル４４Ｃ及び表示パネル４５Ｃが設けられており、操作パネル４４Ｃと表示パネル４５Ｃとを互いに近接する位置にて分離して配置するとともに、表示パネル４５Ｃの表示面を操作パネル４４Ｃの操作面に対して上方に１５°傾斜させている。これら操作パネル４４Ｃ及び表示パネル４５Ｃの構造及び作用効果については上述した刈払機と実質的に同様であるため詳細な説明は省略する。
【符号の説明】
【００３７】
１０，１０Ａ…作業機（刈払機）、１０Ｂ…作業機（チェーンソー）、１０Ｃ…作業機（ヘッジトリマ）、１１…支持棹、２２…電動モータ、２３…回転刃、４０…ハンドル、４１（４１Ｒ，４１Ａ）…グリップ、４４，４４Ａ…操作パネル、４４ａ…操作用基板、４４ｂ，４４ｃ…操作ボタン、４５…表示パネル、４５ａ…表示用基板、４５ｂ，４５ｃ…表示ランプ。
【図１】
0006454522.tif 000002
【図２】
0006454522.tif 000003
【図３】
0006454522.tif 000004
【図４】
0006454522.tif 000005
【図５】
0006454522.tif 000006
【図６】
0006454522.tif 000007